(57)【特許請求の範囲】
【請求項１】
切屑除去機械加工具用の切削インサートカートリッジであって、
第１の端面、第２の端面、上面、及び底面を含み、前記第１の端面から前記第２の端面に向かって方向付けられた縦軸を有するカートリッジ本体と、
切削工具インサート用の台座であって、台座の面が前記カートリッジ本体の第１の軸端部に近接した前記カートリッジ本体の前記上面と交差する台座と、
前記カートリッジ本体の前記第２の端面のねじ山付き開口部と、
上面から底面に向かって延在する前記カートリッジ本体の開口部であって、前記台座と前記カートリッジ本体の第２の軸端部との間に配置される開口部と、
第１のねじ山部、第２のねじ山部、作動部、及び前記作動部の外表面上の係合機構を有する差動ねじを含む軸調整システムと、
前記差動ねじの前記第２のねじ山部に通されるクロスダウエルファスナーとを備え、
前記第１のねじ山部、作動部及び第２のねじ山部は前記差動ねじの軸上に配置され、前記作動部は軸が前記第１のねじ山部と前記第２のねじ山部との間にあり、
前記係合機構は前記差動ねじの前記軸に平行でない係合軸を有し、
前記差動ねじの前記第１のねじ山部は前記カートリッジ本体の前記第２の端面の前記ねじ山付き開口部に螺合する切削インサートカートリッジ。
【請求項２】
前記係合機構は前記作動部の外表面内のアパーチャであり、前記係合機構の本体への前記アパーチャの軸は前記差動ねじの前記軸に直交する、請求項１に記載の切削インサートカートリッジ。
【請求項３】
前記作動部の前記外表面は、前記第１のねじ山部と前記第２のねじ山部のうちの少なくとも１つの外表面の半径方向距離よりも大きな、前記差動ねじの前記軸からの半径方向距離に位置する、請求項１又は２に記載の切削インサートカートリッジ。
【請求項４】
切屑除去機械加工具であって、
縦軸を有する工具本体と、
前記工具本体の面内のスロットに装着された、請求項１から３のいずれか一項に記載の切削インサートカートリッジと、
前記スロット内の前記切削インサートカートリッジを前記工具本体の前記縦軸に対して軸方向に並進させるように配置された前記軸調整システムとを備える、切屑除去機械加工具。
【請求項５】
前記差動ねじの前記軸に対する回転と前記差動ねじの前記軸に対する軸並進のうちの少なくとも１つを制限するため、前記クロスダウエルファスナーは前記工具本体に配置される、請求項４に記載の切屑除去機械加工具。
【請求項６】
前記差動ねじの前記軸に対する回転と軸並進の両方を制限するため、前記クロスダウエルファスナーは前記工具本体に配置される、請求項５に記載の切屑除去機械加工具。
【請求項７】
前記工具本体は装着終端部と頭部を含む、請求項４から６のいずれか一項に記載の切屑除去機械加工具。
【請求項８】
前記切削インサートカートリッジは、前記上面から前記底面に向かって延在する前記カートリッジ本体の前記開口部に配置される締結具によって、前記工具本体の前記面内の前記スロットに装着され、前記上面から前記底面に向かって延在する前記カートリッジ本体の前記開口部は、その中に配置される前記締結具部分の直径よりも大きな半径方向寸法を有する、請求項４から７のいずれか一項に記載の切屑除去機械加工具。
【発明の詳細な説明】
【技術分野】
【０００１】
本開示は、加工対象物を切削するための切屑除去機械加工具に関する。より具体的には、本開示は、第１の端部でねじ山付き構造に、また第２の端部でカートリッジのねじ山部に相互作用する対向したねじ山端部と、両ねじ山端部間に挟まれ、外表面上に係合機構を備える作動部とを有する差動調整ねじを使用して、切屑除去機械加工具本体に対して切削インサートカートリッジの位置を双方向的に調整する機構に関する。本開示は、カートリッジ及び調整機構に加えて、切屑除去機械加工具とカートリッジの組み合わせ、及び差動調整ねじ、そのものに関する。
【背景技術】
【０００２】
以下の考察では、ある種の構造及び／又は方法について言及する。しかしながら、以下の言及は、これらの構造及び／又は方法が先行技術を構成すると承認したものと解釈されるべきではない。出願人は、これらの構造及び／又は方法が本発明に対する先行技術としての要件を満たしていないことを示す権利を、明示的に留保する。
【０００３】
切削加工業界では、特に切屑除去切削加工業界では、加工対象物に対して切削インサートの切削エッジを正確に配置するため、切削ユニットの微調整が行われる。別々に固定されたカートリッジを備える現在の切屑除去機械加工具では、カートリッジの軸方向の位置の調整は一般的に、オペレータが固定を緩め、カートリッジを第１の方向に移動し、続いてカートリッジを固定し、さらに位置決めが達成されるまで切削エッジの位置を一方向に調整することによって行われる。第１の方向へのカートリッジの移動は、切削エッジの目標位置を達成して正確な機械加工を実行するためには欠かせない。この操作では、調整を止める際の人間の動作と判断に遅れが生じるため、目標位置に対して移動距離が超過することは、良く起こる失敗の１つとなっている。
この失敗が起こると、戻る動作は行えないため、オペレータはカートリッジの固定を緩め、ねじを後退させなければならない。次いで、再度調整を実行しなければならない。このような反復的な位置決めは、時間が無駄になるだけでなく、作業の生産性と効率を低下させる。
【０００４】
カートリッジインサートホルダを備える切屑除去機械加工具の調整機構の例は、例えば米国特許第７，７５３，６２６号、欧州特許第０，９６８，７８３号及び米国特許出願第２０１３００７１１９３号に開示されており、これらの開示内容はすべて参照により本明細書に組み込まれる。
【発明の概要】
【０００５】
本明細書で開示される切屑除去機械加工具用の切削インサートカートリッジ、切削インサート調整差動ねじ、並びに方法及び構造は、相互接続、切屑除去機械加工具本体に関わる調整差動ねじの保持及び動作を改善し、固定用ねじを解放することなく双方向性の正確な調整を可能にする。
【０００６】
切屑除去機械加工具用の切削インサートカートリッジの例示的な実施形態は、第１の端面、第２の端面、上面、及び底面を含み、第１の端面から第２の端面に向かって方向付けられた縦軸を有するカートリッジ本体と、切削工具インサート用の台座であって、台座の面がカートリッジ本体の第１の軸端部に近接したカートリッジ本体の上面と交差する台座と、カートリッジ本体の第２の端面のねじ山付き開口部と、上面から底面に向かって延在するカートリッジ本体の開口部であって、台座とカートリッジ本体の第２の軸端部との間に配置される開口部と、第１のねじ山部、第２のねじ山部、作動部、及び作動部の外表面上の係合機構を有する差動ねじを含む軸調整システムとを備え、第１のねじ山部、作動部及び第２のねじ山部は差動ねじの軸上に配置され、作動部は軸が第１のねじ山部と第２のねじ山部との間にあり、係合機構は差動ねじの軸に平行でない係合軸を有し、差動ねじの第１のねじ山部はカートリッジ本体の第２の端面のねじ山付き開口部に螺合する。
【０００７】
切屑除去機械加工具の例示的な実施形態は、縦軸を有する工具本体と、工具本体の面内のスロットに装着された切削インサートカートリッジと、スロット内の切削インサートカートリッジを工具本体の縦軸に対して軸方向に並進させる調整システムとを備え、切削インサートカートリッジは、第１の端面、第２の端面、上面、及び底面を含んで、第１の端面から第２の端面に向かって方向付けられた縦軸を有するカートリッジ本体と、切削工具インサート用の台座であって、台座の面がカートリッジ本体の第１の軸端部に近接したカートリッジ本体の上面と交差する台座と、カートリッジ本体の第２の端面の第１のねじ山付き開口部と、上面から底面に向かって延在するカートリッジ本体の開口部であって、台座とカートリッジ本体の第２の軸端部との間に配置される開口部とを含み、調整システムは、第１のねじ山部、第２のねじ山部、作動部、及び作動部の外表面上の係合機構を有する差動ねじを含み、第１のねじ山部、作動部及び第２のねじ山部は差動ねじの軸上に配置され、作動部は軸が第１のねじ山部と第２のねじ山部との間にあり、係合機構は差動ねじの軸に平行でない係合軸を有し、差動ねじの第１のねじ山部はカートリッジ本体の第２の端面の第１のねじ山付き開口部に螺合する。
【０００８】
切削インサート調整差動ねじの例示的な実施形態は、第１のねじ山部、第２のねじ山部、作動部、作動部の外表面上の係合機構を備え、第１のねじ山部、作動部及び第２のねじ山部は差動ねじの軸上に配置され、作動部は軸が第１のねじ山部と第２のねじ山部との間にあり、係合機構は差動ねじの軸に平行でない係合軸を有する。
【０００９】
切屑除去機械加工具の実施形態で装着された切削インサートカートリッジの位置を調整する例示的な方法は、差動ねじの作動部の工具との係合機構を駆動することと、作動部を差動ねじの軸の周りに回転して切削インサートカートリッジにかかる軸力を生成することと、摩擦力に打ち勝って工具本体対する切削インサートカートリッジの位置を軸方向に調整することとを含み、当該摩擦力は、切削インサートカートリッジを材料除去工具に装着する上面から底面に向かって延在するカートリッジ本体の開口部に位置する締結具によって生成される。
【００１０】
好ましい実施形態の以下の詳細な説明は、類似の番号が類似の要素を表す添付図面と関連付けて読むことができる。
【図面の簡単な説明】
【００１１】
【図１】切削インサートカートリッジを備える切屑除去機械加工具の第１の例示的な実施形態、及び差動ねじを含む軸調整システムの第１の例示的な実施形態の斜視図である。
【図２】切削インサートカートリッジを備える切屑除去機械加工具の第２の例示的な実施形態、及び差動ねじを含む軸調整システムの第２の例示的な実施形態の斜視図である。
【図３】図１の切削インサートカートリッジ及び差動ねじを含む軸調整システムの分解斜視図である。
【図４】切削インサートカートリッジ及び差動ねじを含む軸調整システムの機能の配置を図解する図１の切屑除去機械加工具の一部の断面図である。
【図５】カートリッジの台座領域を示すために取り除かれた切削インサートカートリッジ及び軸調整システムを備える図１の切屑除去機械加工具の斜視図である。
【図６】図２の切削インサートカートリッジ及び差動ねじを含む軸調整システムの分解斜視図である。
【図７】切削インサートカートリッジ及び差動ねじを含む軸調整システムの機能の配置を図解する図２の切屑除去機械加工具の一部の断面図である。
【図８】カートリッジの台座領域を示すために取り除かれた切削インサートカートリッジ及び軸調整システムを備える図２の切屑除去機械加工具の斜視図である。
【図９Ａ】２つのねじ山領域を有する切削インサート調整差動ねじの第１の例示的な実施形態で、２つのねじ山は同じねじ切り方向を有する。
【図９Ｂ】２つのねじ山領域を有する切削インサート調整差動ねじの第２の例示的な実施形態で、２つのねじ山は異なるねじ切り方向と異なるピッチを有する。
【図１０Ａ】例示的な切削インサート調整差動ねじの作動部の形態及び外表面上の係合機構の変形例を示す。
【図１０Ｂ】例示的な切削インサート調整差動ねじの作動部の形態及び外表面上の係合機構の変形例を示す。
【図１０Ｃ】例示的な切削インサート調整差動ねじの作動部の形態及び外表面上の係合機構の変形例を示す。
【図１１】切屑除去機械加工具に装着された切削インサートカートリッジの上面図及び差動ねじを含む軸調整システムの例示的な実施形態で、クロスダウエルファスナーを有する差動ねじの係合を部分切取図で示している。
【発明を実施するための形態】
【００１２】
図１は、切削インサートカートリッジを有する切屑除去機械加工具の例示的な実施形態の斜視図で、差動ねじを含む軸調整システムの第１の例示的な実施形態である。図２は、切削インサートカートリッジを有する切屑除去機械加工具の別の例示的な実施形態の斜視図で、差動ねじを含む軸調整システムの第２の例示的な実施形態である。例示的な切屑除去機械加工具１０はそれぞれ、工具本体４０の面内のスロット３０（又は別の受入れ領域）に装着される切削インサートカートリッジ２０を備える。軸調整システム（図１の第１の例示的な軸調整システム５０、図２の第２の例示的な軸調整システム５００）は、スロット内の切削インサートカートリッジ２０を工具本体４０の縦軸６０に対して軸方向に並進させる。図１及び２に示された工具本体の他の特徴には、装着終端部７０及び頭部８０が含まれる。
【００１３】
図３は、図１の例示的な切削インサートカートリッジ２０及び軸調整システム５０の第１の例示的な実施形態の分解斜視図である。軸調整システム５０は、第１のねじ山部１０２、第２のねじ山部１０４及び作動部１０６を有する差動ねじ１００を含む。第１のねじ山部１０２、作動部１０６及び第２のねじ山部１０４は、差動ねじ１００の軸１０８上に配置され、軸１０８に関連して、作動部１０６は軸が第１のねじ山部１０２と第２のねじ山部１０４との間にある。係合機構１２０（以下で詳述）は、作動部１０６の外表面１１０上に配置され、差動ねじ１００の軸１０８に平行でない係合軸１２２を有する。
【００１４】
図４は、切削インサートカートリッジ２０及び工具本体４０に組み込まれた状態の差動ねじ１００を含む軸調整システム５０を示す図１の切屑除去機械加工具の一部の断面図である。組み込まれた状態では、差動ねじ１００の第１のねじ山部１０２はカートリッジ本体２００に螺合している。具体的には、差動ねじ１００の第１のねじ山部１０２は、カートリッジ本体２００の第２の端面２０４の第１のねじ山付き開口部２２０に螺合している。差動ねじ１００の第２のねじ山部１０４は、工具本体４０に間接的に螺合している。具体的には、差動ねじ１００の第２のねじ山部１０４は、クロスダウエルファスナー１５０のねじ山付き開口部１５２に螺合している。
【００１５】
クロスダウエルファスナー１５０自体は、工具本体４０の相補的な形状の開口部１６０（図５参照）に配置されている。このような相補的な形状の開口部１６０の例を図１、４及び５に示す。相補的な形状の開口部１６０はスロット３０から始まり、例えばチャネル１６２によってスロット３０（又は他の受入れ領域）に結合されている。この配置により、組み立てられた切削インサートカートリッジ２０と軸調整システム５０をスロット３０と相補的な形状の開口部１６０に挿入することが可能になり、一方、チャネル１６２は、挿入カートリッジ２０をクロスダウエルファスナー１５０に結合する差動ねじ１００の一部と、作動部１０６とクロスダウエルファスナー１５０との間にある第２のねじ山部１０４の一部とに適合する。
【００１６】
相補的な形状の開口部１６０は、差動ねじ１００が回転するときのクロスダウエルファスナー１５０の回転を防止する。例えば、差動ねじ１００が回転するとき、クロスダウエルファスナー１５０は差動ねじ１００の回転に同期して軸１０８の周りを回転しうる一方で、クロスダウエルファスナー１５０はまた、開口部１６０の壁に密着して完全に回転を防止するか、回転を部分的に、例えば１５〜３０度未満に抑制することもできる。その結果、基本的に回転しないクロスダウエルファスナー１５０に対する第２のねじ山部１０４の回転は、第２のねじ山部１０４とクロスダウエルファスナー１５０のねじ山付き開口部１５２との間の相対運動によって、第２のねじ山部１０４の軸に沿った並進を引き起こす。加えて、工具本体４０の一部分１７０は、クロスダウエルファスナー１５０とスロット３０（又は他の受入れ領域）の間に突出し、軸調整システム５０が動作して、カートリッジ本体２００とクロスダウエルファスナー１５０を互いに向き合うように付勢するときには、クロスダウエルファスナー１５０の第１の軸受面として機能する。開口部１６０の壁の一部分１８０は、軸調整システム５０が動作して、カートリッジ本体２００とクロスダウエルファスナー１５０を互いに遠ざけるように付勢するときには、クロスダウエルファスナー１５０の第２の軸受面として機能する。
【００１７】
クロスダウエルファスナーの一例はバレルナットであるが、様々な形状及び／又は小平面からなる多角形体や円筒体、或いは任意の他の形状を含む異なる形状の他のクロスダウエルファスナーが使用可能で、これによりクロスダウエルファスナーを工具本体４０に保持し、一方で差動ねじ１００の第２のねじ山部１０４を受入れるねじ山付き開口部を有することもできる。しかしながら、円筒形には、製造が容易で工具本体４０と結合する単純な形状であるという利点があり、工具本体４０との接触面が大きい。大きな接触面は、バレルナット１５０と相補的な形状の開口部１６０との結合時の接触応力の低減に寄与する。応力が低減されると、アルミニウム、マグネシウムカーボンファイバー又は非金属材料のような柔らかい材料への間接的な螺合により、この実施形態の実装は拡大される。クロスダウエルファスナーに適した材料は用途に応じて変わるが、鉄又は真鍮が好ましい。
【００１８】
スロット３０（又は他の受入れ領域）、開口部１６０及びチャネル１６２に加えて、切削インサートカートリッジ２０を工具本体４０に装着するための他の特徴を図５に示す。これらの特徴には、固定ねじ２３２のねじ山付きシャンクの一部と耐摩耗性パッド１９２を受入れるねじ山付き開口部１９０が含まれる。
【００１９】
図６は、図２の別の例示的な切削インサートカートリッジ２０と軸調整システム５００の第２の例示的な実施形態の分解斜視図である。軸調整システム５００は、第１のねじ山部１０２、第２のねじ山部１０４及び作動部１０６を有する差動ねじ１００を含む。第１のねじ山部１０２、作動部１０６及び第２のねじ山部１０４は、差動ねじ１００の軸１０８上に配置され、軸１０８に関連して、作動部１０６は軸が第１のねじ山部１０２と第２のねじ山部１０４との間にある。係合機構１２０（以下で詳述）は、作動部１０６の外表面１１０上に配置され、差動ねじ１００の軸１０８に平行でない係合軸１２２を有する。
【００２０】
図７は、切削インサートカートリッジ２０及び工具本体４０に組み込まれた状態の差動ねじ１００を含む軸調整システム５００を示す図６の切屑除去機械加工具の一部の断面図である。組み込まれた状態では、差動ねじ１００の第１のねじ山部１０２はカートリッジ本体２００に螺合している。具体的には、差動ねじ１００の第１のねじ山部１０２は、カートリッジ本体２００の第２の端面２０４の第１のねじ山付き開口部２２０に螺合している。差動ねじ１００の第２のねじ山部１０４は、工具本体４０と直接螺合される。具体的には、差動ねじ１００の第２のねじ山部１０４は、スロット３０（又は他の受入れ領域）の一端に配置される工具本体４０のねじ山付き開口部５１０に螺合される。
【００２１】
組み込まれた切削インサートカートリッジ２０と軸調整システム５００はスロット３０に挿入可能で、次いで差動ねじ１００の第２のねじ山部１０４は、差動ねじ１００を回転することにより、ねじ山付き開口部５１０に螺合可能である。軸調整システム５００の第２の例示的な実施形態を軸調整システム５０の第１の例示的な実施形態と比較すると、その違いは、軸調整システム５００はクロスダウエルファスナー１５０を使用せず、差動ねじ１００の第２のねじ山部１０４と工具本体４０のねじ山付き開口部５１０との間のねじ結合を介して工具本体４０に直接装着される点にある。
【００２２】
差動ねじ１００の回転はまた、差動ねじ１００の第１のねじ山部１０２とカートリッジ本体２００の第２の端面２０４の第１のねじ山付き開口部２２０との間の螺合の大きさを変え、スロット内での切削インサートカートリッジ２０の軸位置を移動させる。したがって、ねじ山付き開口部５１０に差動ねじ１００の第２のねじ山部１０４をねじ切りした後に、組み込まれた切削インサートカートリッジ２０が固定ねじ２３２を介してスロット３０に装着可能であるように、第１のねじ山付き開口部２２０の差動ねじ１００の第１のねじ山部１０２の適切な事前のねじ切りが利用されてもよい。差動ねじ１００の第２のねじ山部１０４が工具本体４０に直接螺合されると、ねじ山付き開口部５１０に対して第２のねじ山部１０４の更なる回転が起こり、第２のねじ山部１０２とねじ山付き開口部５１０との間の相対運動によって第２のねじ山部１０４の軸に沿った並進を引き起こす。
【００２３】
スロット３０（又は他の受入れ領域）及びねじ山付き開口部５１０に加えて、切削インサートカートリッジ２０を工具本体４０に装着するための他の特徴を図８に示す。これらの特徴には、固定ねじ２３２のねじ山付きシャンクの部分と耐摩耗性パッド１９２を受入れるためのねじ山付き開口部１９０が含まれる。
【００２４】
実施例に示した切削インサートカートリッジ２０は同じものであるが、この切削インサートカートリッジは、切削工具インサートを収容し、工具本体に着脱式で装着可能な任意の形状をとることが可能で、本明細書で開示されている軸調整システムと動作可能に協働することができる。例えば、図３及び６に見られるように、切削インサートカートリッジ２０は、任意の適切な形状を有し得るカートリッジ本体２００を含むことができる。例示的な実施例では、カートリッジ本体２００は、一般的に名目上の６つ面、すなわち、第２の端面２０４にほぼ対向する第１の端面２０２、底面２０８にほぼ対向する上面２０６、第２の側面２１２にほぼ対向する第１の側面２１０を有する形状の長方形である。上面２０６、底面２０８、第１の側面２１０、及び第２の側面２１２は一般的に、第１の端面２０２及び第２の端面２０４と相互に連結して、第１の端面２０２から第２の端面２０４に向かって方向付けられた縦軸２１４を有する立体を形成する。前述の用語の使い方、並びにカートリッジ本体２００への６つの面の割り当ては、ほぼ長方形を有すると一般的に記述される任意の名目的な面上に、不規則な形状の面、切欠き領域、又は他の特徴を有することを除外するものではない。
【００２５】
切削インサートカートリッジ２０は、第２の端面２０４に第１のねじ山付き開口部２２０を含む。本明細書に記載されているように、差動ねじ１００の第１のねじ山部１０２は、第１のねじ山付き開口部２２０に螺合している。例示的な実施形態では、第１のねじ山付き開口部２２０は、カートリッジ本体２００の縦軸２１４と同一直線上にあるねじ軸２２２を有する。したがって、このような実施形態では、差動ねじ１００の軸１０８もカートリッジ本体２００の縦軸２１４と同一直線上にある。他の実施形態では、ねじ軸２２２は、カートリッジ本２００の縦軸２１４に対して、或いはスロット、開口部１６０、又はねじ山付き開口部５１０、及び軸調整システム５０、５００の所望の機能の配置に対応する他の任意の配向に対して、傾けることができる。
【００２６】
カートリッジ本体２００の開口部２３０は、上面２０６から底面２０８に向かって延在し、固定ねじ２３２のシャンクを受入れる。固定ねじ２３２は一般的に工具本体４０とは螺合せず、開口部２３０はむしろ、開口部２３０に配置される固定ねじ２３２のシャンク部分の直径Ｄよりも大きくなっている。すなわち、図４及び７に示すように、開口部２３０とこれに対応して配置されるシャンク部分の外表面との間に空間ができるように、開口部２３０の径方向の寸法は、直径Ｄのサイズよりも大きい。固定ねじ２３２のシャンクの遠位端は、スロット３０のねじ山付き開口部１９０にねじ込まれ、これを締めること又は緩めることによって、スロット３０に対応する位置に切削インサートカートリッジ２０を保持する所望の装着力が生み出される。オプションの座金２３４が固定ねじ２３２と共に示されている。図３及び６に示すように、開口部２３０の近傍の上面２０６は、カートリッジ本体２００の他の領域の上面２０６の直線部分に対して傾いている。しかしながら、傾いた上面２０６が必須となっているわけではない。
【００２７】
カートリッジ本体２００は、切削工具インサート２４２の台座２４０を含む。図３及び６に示す例示的な実施形態では、台座２４０は、切削工具インサート２４２の側面を支持する２つの面２４４、２４６を、また切削工具インサート２４２の底面を支持する面２４８を有する。切削工具インサート２４２用の装着機構、例えば、ねじ山付き締結具を支持する開口部２５０は、面２４８内にある。
【００２８】
カートリッジ本体２００は、オプションにより凹部２６０を含むことができる。図４及び７に示す例示的な実施形態では、凹部２６０は、第１の側面２１０から第２の側面２１２に向かうカートリッジ本体２００の少なくとも一部を通って延在する。第１の側面２１０から第２の側面２１２に向かう凹部２６０の縦軸２６２は、カートリッジ本体２００の縦軸２１４に平行ではなく、必ずとは限らないが、直交することもあり得る。凹部２６０の少なくとも一部は、カートリッジ本体２００の底面２０８に開いている。
【００２９】
図９Ａ及び９Ｂは、差動ねじ１００の２つの実施形態を示している。図９Ａでは、第１のねじ山部１０２及び第２のねじ山部１０４のねじ山は、同一のねじ切り方向を有している。すなわち、どちらも左ねじ又は右ねじであるが、２つの部分のねじ山のピッチは異なっている。図９Ｂでは、第１のねじ山部１０２及び第２のねじ山部１０４のねじ山は異なるねじ切り方向を有している。すなわち、一方は左ねじで他方は右ねじで、２つの部分のねじ山のピッチは同じであるか異なっている。ねじ切り方向とピッチの組み合わせは、回転軸の周りの３６０度回転に対する所望の並進速度、長さを実現するように選択される。
【００３０】
差動ねじ１００により、カートリッジ本体２００の双方向軸並進（また、拡大解釈すれば、台座２４０及び台座２４０に装着される任意の切削工具インサート２４２に加え、切削インサートカートリッジ２０全体など、カートリッジ本体２００に結合される特徴の双方向軸並進）が可能になる。例えば、差動ねじが軸１０８の周りに、すなわち差動ねじ１００の回転軸の周りに回転されると、第１のねじ山部１０２及び第２のねじ山部１０４に係合する構造は、第１のねじ山部１０２及び第２のねじ山部１０４のそれぞれのねじ山のねじ切り方向とピッチに応じて、それぞれの部分の上を軸に沿って並進する。しかしながら、例示的な実施形態では、第２のねじ山部１０４が直接的に又は間接的に接続されている構造、すなわち工具本体４０の並進は抑制又は防止されている。したがって、固定ねじ２３２によってカートリッジ本体２００に与えられる固定力に打ち勝つ十分な並進力が生成されると、カートリッジ本体２００は軸に沿って並進する。カートリッジ本体２００の並進は固定ねじ２３２のトルクを解放することなく起こることが好ましく、これにより調整時間を短縮すること及び調整の精度を改善することができる。しかしながら、代替的な実施形態では、カートリッジ本体２００の軸並進を促進するため、スロット３０のねじ山付き開口部１９０から係合をはずすことなく、固定ねじ２３２を緩めることができる。カートリッジ本体２００の開口部２３０と固定ねじ２３２のシャンクの直径Ｄとの間のサイズの差は、装着されたカートリッジ本体２００が、ねじ山付き開口部１９０の固定ねじ２３２を引き出すことなく、軸調整システム５０、５００の操作によって軸に沿って並進され得る軸距離を画定することに、留意されたい。
【００３１】
図９Ａ、９Ｂ及び１０Ａ〜１０Ｃは、差動ねじ１００の作動部１０６の異なる実施形態を示している。図９Ａ及び９Ｂの実施形態では、作動部１０６は円筒形である。他の例示的な実施形態では、作動部１０６（軸１０８に沿って見た場合）は形状が多角形であるか、ギアのような形状になっている。作動部１０６が多角形の例には、図１０Ａに示すような六角形、又は四角形、又は三角形が含まれる。
【００３２】
例示的な実施形態では、作動部１０６には、工具又は手作業で作動部１０６が係合され、また、差動ねじ１００が軸１０８の周りに回転される係合機構１２０が含まれる。作動部１０６が多角形である実施形態に関連して、外周面は、適切な工具又は手作業で係合され得る小平面を作り出す。作動部１０６が円筒形である幾つかの実施形態に関連して、外表面は、軸において作動部１０６の内部に延在する周期的なアパーチャ（ａｐｅｒｔｕｒｅ）で形成された係合機構を含むことができる。アパーチャの軸は、差動ねじ１００の軸１０８に直交するように配向可能である。アパーチャ自体は工具への係合に適した形状、例えば、ねじ回しの頭部、六角レンチ又は他の工具に係合する形状を有することができる。形状の例には、限定するものではないが、スロット、円、六角形が含まれる。また、アパーチャの代わりに、作動部１０６の外表面から外へ向かって延在する突起も使用可能である。作動部１０６が円筒形である他の実施形態に関連して、外表面は、差動ねじ１００の軸１０８と平行に配向され得る複数の隆起と溝、山と谷で形成された係合機構を含むことができる。複数の隆起と溝で形成された係合機構の例を図１０Ｂに示す。図１０Ｃに示すように、複数の隆起と溝で形成された係合機構と、作動部１０６の内部に延在する周期的なアパーチャで形成された係合機構とを両方有する、このような特徴の組み合わせも使用可能である。アパーチャは、差動ねじ１００の軸１０８に直交して配向される、内向きに延在する軸を有する。
【００３３】
例示的な実施形態では、作動部１０６の外表面は、第１のねじ山部１０２及び第２のねじ山部１０４の最外面の半径方向距離よりも大きな、軸１０８からの半径方向距離に位置する。軸１０８からの半径方向距離がより大きな場所に位置する作動部１０６の外表面は、軸１０８に対して差動ねじ１００が回転する距離に比例して、機械的な利点を生み出す。代替的な実施形態では、作動部１０６の軸１０８からの半径方向距離は、第１のねじ山部１０２及び第２のねじ山部１０４の最外面の半径方向距離以下になることがある。幾つかの実施形態では、作動部１０６は、差動ねじ１００に対して同軸上に配置され、他の実施形態では同軸上からずらして配置される。
【００３４】
切削インサートカートリッジ２０が工具本体４０に装着されると、軸調整システム５０、５００のいずれかの実施形態を含む場合、作動部１０６は、スロット３０の面に対して離間された位置関係Ｓで配置される。図１１は、この離間された位置関係Ｓを示す工具本体４０に装着された切削インサートカートリッジ２０の例示的な実施形態の上面図である。離間された位置関係Ｓにより、作動部へのアクセス、或いは場合によっては係合機構へのアクセスが改善される。図１１の実施形態は軸調整システム５０を図解しているが、改善されたアクセスに関する上述のコメントは、軸調整システム５００を使用する実施形態にも同じように当てはまる。
【００３５】
回転式切削工具との関連で図解及び説明されているが、本明細書で開示されている構造、技術及び方法は、回転工具にも同じように当てはまる。また、差動ねじ及びオプションのクロスダウエルファスナーを含む軸調整システムの構造、特徴及び操作は、一次元の並進、すなわち、差動ねじの軸、切削インサートカートリッジ以外の構造の軸と同じ軸に沿った並進にも適用可能である。例えば、加工対象物のステージ、機械加工具及び固定具のコンポーネントは、本明細書で開示されている軸調整システムの適切な追加によって、一次元方向に並進され得る。
【００３６】
また、本発明はこれらの好ましい実施形態に関連して記載されているが、添付の特許請求の範囲に規定される本発明の精神及び範囲を逸脱することなく、本明細書に特段の記載のない追加、削除、修正、及び代替が行われ得ることを当業者は理解されたい。
【符号の説明】
【００３７】
１０    切屑除去機械加工具
２０    切削インサートカートリッジ
３０    スロット
４０    工具本体
５０    軸調整システム
６０    縦軸
７０    装着終端部
８０    頭部
１００    差動ねじ
１０２    第１のねじ山部
１０４    第２のねじ山部
１０６    作動部
１０８    軸
１１０    外表面
１２０    係合機構
１２２    係合軸
１５０    クロスダウエルファスナー
１５２    ねじ山付き開口部
１６０    相補的な形状の開口部
１６２    チャネル
１７０    工具本体の一部
１８０    開口部の壁の一部
１９０    ねじ山付き開口部
１９２    耐摩耗性パッド
２００    カートリッジ本体
２０２    第１の端面
２０４    第２の端面
２０６    上面
２０８    底面
２１０    第１の側面
２１２    第２の側面
２１４    縦軸
２２０    第１のねじ山付き開口部
２２２    ねじ軸
２３０    開口部
２３２    固定ねじ
２３４    座金
２４０    台座
２４２    切削工具インサート
２４４    面
２４６    面
２４８    面
２５０    開口部
２６０    凹部
２６２    縦軸
５００    軸調整システム
５１０    ねじ山付き開口部
【図１】
0006663673.tif 000002
【図２】
0006663673.tif 000003
【図３】
0006663673.tif 000004
【図４】
0006663673.tif 000005
【図５】
0006663673.tif 000006
【図６】
0006663673.tif 000007
【図７】
0006663673.tif 000008
【図８】
0006663673.tif 000009
【図９Ａ】
0006663673.tif 000010
【図９Ｂ】
0006663673.tif 000011
【図１０Ａ】
0006663673.tif 000012
【図１０Ｂ】
0006663673.tif 000013
【図１０Ｃ】
0006663673.tif 000014
【図１１】
0006663673.tif 000015